【手続補正書】
【提出日】平成20年9月12日(2008.9.12)
【手続補正１】
【補正対象書類名】特許請求の範囲
【補正対象項目名】全文
【補正方法】変更
【補正の内容】
【特許請求の範囲】
【請求項１】
ユーザからの指示を受け付ける操作部材と、
タッチパネル式の表示装置と、
前記操作部材が覆い隠される第１の位置と、該操作部材が露出する第２の位置とに、該操作部材を移動可能とする移動手段と、
前記操作部材が前記第１の位置であるか、前記第２の位置であるかを判定する判定手段と、
前記判定手段によって前記操作部材が前記第１の位置であると判定した場合、前記表示装置に、前記操作部材に対応するソフトボタンを配置するよう制御する制御手段とを有することを特徴とする表示制御装置。
【請求項２】
前記制御手段は、前記判定手段によって前記操作部材が前記第２の位置であると判定した場合、前記操作部材が前記第１の位置の場合に前記ソフトボタンを配置するための領域に、該ソフトボタン以外の表示を行うよう制御することを特徴とする請求項１に記載の表示制御装置。
【請求項３】
前記制御手段は、前記判定手段によって前記操作部材が第２の位置であると判定した場合、前記操作部材で操作可能なメニュー画面を、前記操作部材が前記第１の位置の場合に前記ソフトボタンを配置するための領域を用い、かつ、前記操作部材が前記第１の位置の場合に表示するメニュー画面よりも大きな領域を用いて、前記表示装置上に表示するよう制御することを特徴とする請求項２に記載の表示制御装置。
【請求項４】
撮像手段をさらに有し、
前記操作部材はユーザが当該表示制御装置を把持するためのグリップ部材に配置され、
前記第１の位置は前記表示装置に前記グリップ操作部材が重畳した閉状態であり、前記第２の位置は前記表示装置に前記グリップ操作部材が重畳しない開状態であることを特徴とする請求項１乃至３のいずれか１項に記載の表示制御装置。
【請求項５】
前記グリップ操作部材には、親指に対応する部位に突状部が形成されていることを特徴とする請求項４に記載の表示制御装置。
【請求項６】
ユーザからの入力を受け付ける操作部材と、
タッチパネル式の表示装置と、
前記操作部材が覆い隠される第１の位置と、該操作部材が操作可能に露出する第２の位置とに、該操作部材を移動可能とする移動手段とを有する表示制御装置の制御方法であって、
前記操作部材が前記第１の位置であるか、前記第２の位置であるかを判定する判定工程と、
前記判定工程によって前記操作部材が前記第１の位置であると判定した場合、前記表示装置に、前記操作部材に対応するソフトボタンを配置するよう制御する制御工程とを有することを特徴とする表示制御装置の制御方法。
【請求項７】
ユーザからの入力を受け付ける操作部材と、
タッチパネル式の表示装置と、
前記操作部材が覆い隠される第１の位置と、該操作部材が操作可能に露出する第２の位置とに、該操作部材を移動可能とする移動手段とを有するコンピュータを、
前記操作部材が前記第１の位置であるか、前記第２の位置であるかを判定する判定手段と、
前記判定手段によって前記操作部材が前記第１の位置であると判定した場合、前記表示装置に、前記操作部材に対応するソフトボタンを配置するよう制御する制御手段として機能させるためのプログラム。
【請求項８】
ユーザからの入力を受け付ける操作部材と、
タッチパネル式の表示装置と、
前記操作部材が覆い隠される第１の位置と、該操作部材が操作可能に露出する第２の位置とに、該操作部材を移動可能とする移動手段とを有するコンピュータを、
前記操作部材が前記第１の位置であるか、前記第２の位置であるかを判定する判定手段と、
前記判定手段によって前記操作部材が前記第１の位置であると判定した場合、前記表示装置に、前記操作部材に対応するソフトボタンを配置するよう制御する制御手段として機能させるためのプログラムを記録したコンピュータ読み取り可能な記録媒体。
【手続補正２】
【補正対象書類名】明細書
【補正対象項目名】発明の名称
【補正方法】変更
【補正の内容】
【発明の名称】表示制御装置及びその制御方法
【手続補正３】
【補正対象書類名】明細書
【補正対象項目名】０００１
【補正方法】変更
【補正の内容】
【０００１】
本発明は、表示制御装置の持ちやすさと表示装置の表示画像に対する視認性等とに考慮した技術に関するものである。
【手続補正４】
【補正対象書類名】明細書
【補正対象項目名】０００３
【補正方法】変更
【補正の内容】
【０００３】
近年の技術革新の日進月歩により、電子カメラの軽量、小型化が進む一方で、撮影画面を見やすく、また操作画面の操作を行いやすくするために、画像表示部の大型化が図られている。
しかしながら、電子カメラの小型化と画像表示部の大型化とが図られると、必然的に電子カメラ背面における画像表示部の占める割合が大きくなる。従って、グリップ部の割合が小さくなり、撮影時等に電子カメラを把持しにくくなるといった問題が生じる。
【手続補正５】
【補正対象書類名】明細書
【補正対象項目名】０００５
【補正方法】削除
【補正の内容】
【手続補正６】
【補正対象書類名】明細書
【補正対象項目名】０００６
【補正方法】変更
【補正の内容】
【０００６】
そこで、本発明は、操作部材が移動可能であった場合に、操作部材がどの位置にあっても操作可能な機能を制限することなく、表示装置の表示領域を有効活用することができる表示制御装置を提供することを目的とする。
【手続補正７】
【補正対象書類名】明細書
【補正対象項目名】０００７
【補正方法】変更
【補正の内容】
【０００７】
本発明の表示制御装置は、ユーザからの指示を受け付ける操作部材と、タッチパネル式の表示装置と、前記操作部材が覆い隠される第１の位置と、該操作部材が露出する第２の位置とに、該操作部材を移動可能とする移動手段と、前記操作部材が前記第１の位置であるか、前記第２の位置であるかを判定する判定手段と、前記判定手段によって前記操作部材が前記第１の位置であると判定した場合、前記表示装置に、前記操作部材に対応するソフトボタンを配置するよう制御する制御手段とを有することを特徴とする。
本発明の表示制御装置の制御方法は、ユーザからの入力を受け付ける操作部材と、タッチパネル式の表示装置と、前記操作部材が覆い隠される第１の位置と、該操作部材が操作可能に露出する第２の位置とに、該操作部材を移動可能とする移動手段とを有する表示制御装置の制御方法であって、前記操作部材が前記第１の位置であるか、前記第２の位置であるかを判定する判定工程と、前記判定工程によって前記操作部材が前記第１の位置であると判定した場合、前記表示装置に、前記操作部材に対応するソフトボタンを配置するよう制御する制御工程とを有することを特徴とする。
本発明のプログラムは、ユーザからの入力を受け付ける操作部材と、タッチパネル式の表示装置と、前記操作部材が覆い隠される第１の位置と、該操作部材が操作可能に露出する第２の位置とに、該操作部材を移動可能とする移動手段とを有するコンピュータを、前記操作部材が前記第１の位置であるか、前記第２の位置であるかを判定する判定手段と、記判定手段によって前記操作部材が前記第１の位置であると判定した場合、前記表示装置に、前記操作部材に対応するソフトボタンを配置するよう制御する制御手段として機能させることを特徴とする。
本発明のコンピュータ読み取り可能な記録媒体は、ユーザからの入力を受け付ける操作部材と、タッチパネル式の表示装置と、前記操作部材が覆い隠される第１の位置と、該操作部材が操作可能に露出する第２の位置とに、該操作部材を移動可能とする移動手段とを有するコンピュータを、前記操作部材が前記第１の位置であるか、前記第２の位置であるかを判定する判定手段と、前記判定手段によって前記操作部材が前記第１の位置であると判定した場合、前記表示装置に、前記操作部材に対応するソフトボタンを配置するよう制御する制御手段として機能させるためのプログラムを記録したことを特徴とする。
【手続補正８】
【補正対象書類名】明細書
【補正対象項目名】０００８
【補正方法】変更
【補正の内容】
【０００８】
本発明によれば、操作可能な機能を制限することなく、表示装置の表示領域を有効活用することができる。
【手続補正９】
【補正対象書類名】明細書
【補正対象項目名】０００９
【補正方法】削除
【補正の内容】
【手続補正１０】
【補正対象書類名】明細書
【補正対象項目名】００７１
【補正方法】変更
【補正の内容】
【００７１】
上述した本発明の実施形態においては、画像表示部と重畳した閉状態と画像表示部に重畳しない開状態とに移動可能なグリップ部材を備えている。従って、必要に応じてグリップ部材を移動させ、例えば撮影時等のようにグリップ部材を把持する必要がある場合には、グリップ部材を閉状態として撮像装置の持ちやすさを重視し、再生時等のようにグリップ部材を把持する必要がない場合には、グリップ部材を開状態として画像表示部の表示画像に対する視認性、操作性を向上させることが可能となる。よって、撮像装置の持ちやすさを維持しつつ、画像表示部の表示画像に対する視認性、操作性を向上させることができる。
また、本発明の実施形態においては、グリップ部材の開閉状態に応じて、画像表示部における画像表示サイズを切り替えるように構成している。従って、例えば、グリップ部材が開状態にある場合には画像表示部全体に画像を拡大表示し、閉状態時には画像を縮小表示させ、常に表示画像全体を参照することが可能となり、表示画像部の表示画像に対する視認性、操作性を向上させることができる。
具体的には、必要に応じてリアグリップ部６０を移動させ、例えば撮影時等のようにリアグリップ部６０を把持する必要がある場合には、リアグリップ部６０を閉状態としてデジタルカメラ１００の持ちやすさを重視し、再生時等のようにリアグリップ部６０を把持する必要がない場合には、リアグリップ部６０を開状態として画像表示部１０６の表示画像に対する視認性、操作性を向上させることが可能となる。よって、本発明の実施形態によれば、デジタルカメラ１００の持ちやすさを維持しつつ、画像表示部１０６の表示画像に対する視認性、操作性を向上させることができる。